(57)【要約】【課題】誤報知の発生を抑制し、当該防犯システムの管理管轄領域内で発生した何らかの異常状態を確実に報知することを実現する。【解決手段】防犯受信器３０の制御部３４は、存在検知センサ１０ｎよって送信される存在検知信号を受信したことに応じて、非警戒モードから警戒モードへと切り替え、警戒モードへと切り替えられた後の所定時間の間に、侵入検知センサ２０ｍによって送信される侵入検知信号を受信した場合、所定の警報動作を実行するよう制御し、非警戒モードにおいて、侵入検知センサ２０ｍによって送信される侵入検知信号を受信した場合、一定時間の間、警戒モードへと切り替えることを禁止するよう制御する。【選択図】図２
2009080585.tif 000002
【特許請求の範囲】
【請求項１】
所定の領域外における人の存在を検知する第１検知センサと、前記所定の領域内における何らかの異常状態を検知する第２検知センサとを備え、前記第１検知センサ、前記第２検知センサの検知結果に応じて所定の警報動作を実行する防犯システムであって、
当該防犯システムは、前記第１検知センサによって人の存在を検知した後の所定時間の間に、前記第２検知センサによって異常状態を検知した場合に、前記所定の警報動作を実行するよう制御し、
前記第１検知センサによって人の存在が検知されておらず、前記第２検知センサによって異常状態が検知された場合、一定時間の間、前記所定の警報動作の実行を禁止するよう制御する制御手段を有すること
を特徴とする防犯システム。
【請求項２】
所定の領域外における人の存在を検知したことに応じて検知信号を無線信号として送信する第１検知センサと、前記所定の領域内における何らかの異常状態を検知したことに応じて検知信号を無線信号として送信する第２検知センサと、前記第１検知センサ、前記第２検知センサによって送信される検知信号を受信したことに応じて、所定の警報動作を実行するよう制御する防犯受信器とを備える防犯システムであって、
前記防犯受信器は、前記第１検知センサによって送信される検知信号を受信したことに応じて、非警戒モードから警戒モードへと切り替えるモード切替手段と、
前記モード切替手段によって警戒モードへと切り替えられた後の所定時間の間に、前記第２検知センサによって送信される検知信号を受信した場合、前記所定の警報動作を実行するよう制御し、
前記非警戒モードにおいて、前記第２検知センサによって送信される検知信号を受信した場合、一定時間の間、前記警戒モードへと切り替えることを禁止するよう前記モード切替手段を制御する制御手段とを有すること
を特徴とする防犯システム。
【発明の詳細な説明】
【技術分野】
【０００１】
本発明は、何らかの異常状態を検知し、検知結果に応じた防犯処理を実行する防犯システムに関する。
【背景技術】
【０００２】
外部から建物内への不法な侵入を防止するために、扉、窓などに設置した検知センサ（ワイヤレス防犯センサ）と、侵入を検知した検知センサから送信されるワイヤレス信号を受信して警報を発する防犯受信器（ワイヤレス防犯受信器）とを備えた防犯システムが考案、実施されている（例えば、特許文献１参照。）。
【０００３】
【特許文献１】特開２００５−１７３８３７号公報
【発明の開示】
【発明が解決しようとする課題】
【０００４】
このような防犯システムは、一般に、当該防犯システムの管理管轄領域内に設置された複数の検知センサのうち、一つの検知センサによって何らかの異常状態が検知されると、当該検知センサによって、侵入者を威嚇するための警報音を鳴動し、検知センサから検知信号を受信した防犯受信器によって、正当なユーザである住居人に対して何らかの異常状態が発生したことを報知するための警報音を鳴動するように構成されている。
【０００５】
しかしながら、このように、防犯システムの管理管轄領域内に設置された複数の検知センサのうち、一つの検知センサの反応によって警報の鳴動がなされ警報動作が実行されてしまう構成とした場合、防犯システムの管理管轄領域内において、何らかの異常状態が確実に起こりうるであろう位置を厳密に想定して検知センサを設置しない限り、例えば、正当なユーザである住居人を検知したことに応じて警報を鳴動させるなど、非常に高い確率で誤報知が発生してしまうシステム構成となってしまうといった問題がある。
【０００６】
そこで、本発明は、上述したような問題を解決するために案出されたものであり、誤報知の発生を抑制し、当該防犯システムの管理管轄領域内で発生した何らかの異常状態を確実に報知することができる防犯システムを提供することを目的とする。
【課題を解決するための手段】
【０００７】
本発明の防犯システムは、所定の領域外における人の存在を検知する第１検知センサと、前記所定の領域内における何らかの異常状態を検知する第２検知センサとを備え、前記第１検知センサ、前記第２検知センサの検知結果に応じて所定の警報動作を実行する防犯システムであって、当該防犯システムは、前記第１検知センサによって人の存在を検知した後の所定時間の間に、前記第２検知センサによって異常状態を検知した場合に、前記所定の警報動作を実行するよう制御し、前記第１検知センサによって人の存在が検知されておらず、前記第２検知センサによって異常状態が検知された場合、一定時間の間、前記所定の警報動作の実行を禁止するよう制御する制御手段を有することで、上述の課題を解決する。
【０００８】
また、本発明の防犯システムは、所定の領域外における人の存在を検知したことに応じて検知信号を無線信号として送信する第１検知センサと、前記所定の領域内における何らかの異常状態を検知したことに応じて検知信号を無線信号として送信する第２検知センサと、前記第１検知センサ、前記第２検知センサによって送信される検知信号を受信したことに応じて、所定の警報動作を実行するよう制御する防犯受信器とを備える防犯システムであって、前記防犯受信器は、前記第１検知センサによって送信される検知信号を受信したことに応じて、非警戒モードから警戒モードへと切り替えるモード切替手段と、前記モード切替手段によって警戒モードへと切り替えられた後の所定時間の間に、前記第２検知センサによって送信される検知信号を受信した場合、前記所定の警報動作を実行するよう制御し、前記非警戒モードにおいて、前記第２検知センサによって送信される検知信号を受信した場合、一定時間の間、前記警戒モードへと切り替えることを禁止するよう前記モード切替手段を制御する制御手段とを有することで、上述の課題を解決する。
【発明の効果】
【０００９】
本発明によれば、誤報知の発生を抑制し、当該防犯システムの管理管轄領域内で発生した何らかの異常状態を確実に報知することを可能とする。
【発明を実施するための最良の形態】
【００１０】
以下、本発明の実施の形態について図面を参照して説明する。まず、図１を用いて、本発明の実施の形態として示す防犯システム１について説明をする。防犯システム１は、複数の存在検知センサ１０ｎ（ｎは、自然数）と、複数の侵入検知センサ２０ｍ（ｍは、自然数）と、存在検知センサ１０ｎと所定の周波数帯域を利用して、存在検知センサ１０ｎから送信される無線信号を受信する方向に無線通信することができるとともに、侵入検知センサ２０ｍと所定の周波数帯域を利用して双方向に無線通信することができる防犯受信器３０とを備えている。
【００１１】
このような防犯システム１は、当該防犯システム１において管理管轄される所定の領域、例えば、庭などを伴った一戸建ての住居などに設置される。
【００１２】
このとき、存在検知センサ１０ｎは、防犯システム１で管理管轄される所定の領域外における人の存在を検知できるように、例えば、隣家や道路などと住居が建てられた敷地とを隔てる外壁や敷地内外への出入り口である門扉などに設置される。
【００１３】
一方、侵入検知センサ２０ｍは、防犯システム１で管理管轄される所定の領域内における何らかの異常状態を検知するように、敷地内のいずれかの場所や敷地内に建てられた住居の窓や扉などに設置される。
【００１４】
（存在検知センサ１０ｎ）
存在検知センサ１０ｎは、防犯受信器３０に無線信号を送信するアンテナ１１と、送信するデータに基づき所定の周波数の搬送波を変調して送信処理を実行する送信部１２と、当該存在検知センサ１０ｎを統括的に制御する制御部１３と、少なくとも当該存在検知センサ１０ｎを一意に特定する識別情報を記憶しているデータ記憶部１４と、人の存在を検知するセンサ部１５とを備えている。
【００１５】
このような構成の存在検知センサ１０ｎは、小型形状をしており図示しない電池などの電源を内蔵しているため、例えば、隣家や道路などと住居が建てられた敷地を隔てる外壁や敷地内外への出入り口である門扉などのあらゆる場所に設置可能となっている。この存在検知センサ１０ｎは、防犯システム１で管理管轄される所定の領域外における人の存在を検知可能なように設置される。
【００１６】
制御部１３は、センサ部１５によって、防犯システム１の管理管轄領域外において人の存在が検知されたことに応じて、データ記憶部１４に記憶されている当該存在検知センサ１０ｎを一意に特定する識別情報を読み出し、送信部１２を制御して、読み出した識別情報を添付した無線信号である存在検知信号をアンテナ１１を介して防犯受信器３０に送信する。
【００１７】
（侵入検知センサ２０ｍ）
侵入検知センサ２０ｍは、防犯受信器３０に無線信号を送信し、防犯受信器３０から送信される無線信号を受信するアンテナ２１と、アンテナ２１で送信するデータに基づき所定の周波数の搬送波を変調して送信処理を実行する送信部２２と、アンテナ２１で受信した無線信号に変調されているデータを復調して取り出し受信処理を実行する受信部２３と、当該侵入検知センサ２０ｍを統括的に制御する制御部２４と、少なくとも当該侵入検知センサ２０ｍを一意に特定する識別情報を記憶しているデータ記憶部２５と、侵入者を検知するセンサ部２６と、センサ部２６による検知結果を表示する表示部２７と、侵入者を威嚇する警報音を鳴動させる鳴動部２８とを備えている。
【００１８】
このような構成の侵入検知センサ２０ｍは、小型形状をしており図示しない電池などの電源を内蔵しているため、住宅をはじめとする様々な建物内外のあらゆる場所に設置可能となっている。侵入検知センサ２０ｍが設置される場所は、センサ部２６のセンシング方式によって決定される。
【００１９】
センサ部２６は、防犯システム１で防犯管理している建物内、建物周囲領域内へ不当に侵入した侵入者の存在といった、管理管轄領域内での何らかの異常状態を検知することができるセンサであり、例えば、窓や扉（ドア）の開閉を検知することで侵入者の存在を間接的に検知するマグネットセンサ（開閉センサ）や、物体の温度と人の温度との温度差を検出することで侵入者の存在を直接的に検知する熱線センサなどを利用することができる。
【００２０】
このように、侵入検知センサ２０ｍは、センサ部２６としてマグネットセンサが使用されている場合には、窓や扉（ドア）などに設置され、熱線センサが使用されている場合には、建物の壁や天井などに設置されることになる。
【００２１】
制御部２４は、センサ部２６によって、防犯システム１の管理管轄領域内へ不当に侵入した侵入者の存在が検知されたことに応じて、データ記憶部２５に記憶されている当該侵入検知センサ２０ｍを一意に特定する識別情報を読み出し、送信部２２を制御して、読み出した識別情報を添付した無線信号である侵入検知信号をアンテナ２１を介して防犯受信器３０に送信する。
【００２２】
制御部２４は、防犯受信器３０から送信され、アンテナ２１を介して無線信号が受信されたことに応じて、受信部２３で復調された無線信号に添付されている識別情報と、データ記憶部２５に記憶されている当該侵入検知センサ２０ｍを一意に特定する識別情報とを比較し、自身に対して送信された無線信号であるかどうかを判定する。
【００２３】
制御部２４は、識別情報が一致した場合には、自身に対して送信された無線信号であると判断して、送信された無線信号の命令要求に応じた処理を実行する。
【００２４】
具体的には、制御部２４は、当該侵入検知センサ２０ｍからの侵入検知信号を受信した防犯受信器３０から応答信号として送信される警報信号を受信した場合、鳴動部２８を制御し警報音を鳴動させたり、防犯受信器３０からの鳴動部２８の停止を指示する信号を受信した場合、既に鳴動している警報音の鳴動を停止させたりする。
【００２５】
侵入検知センサ２０ｍは、防犯受信器３０から送信される警報信号を受信したことに応じて、侵入者を威嚇する威嚇機能を備えている。図１に示すように、侵入検知センサ２０ｍは、鳴動部２８を備えており、上述した条件を満たした場合に、鳴動部２８から威嚇音（威嚇メッセージ）を発することで侵入者を威嚇することができる。
【００２６】
なお、侵入検知センサ２０ｍが備える威嚇機能は、当該侵入検知センサ２０ｍの近傍に存在する侵入者を威嚇することができればよいため、上述したように威嚇音を発する鳴動部２８に限定されるものではなく、例えば、表示部２７などを利用して強い光を発光するランプや機械的な機構などであってもよい。
【００２７】
（防犯受信器３０）
図１に示すように、防犯受信器３０は、侵入検知センサ２０ｍに無線信号を送信し、存在検知センサ１０ｎ、侵入検知センサ２０ｍから送信される無線信号を受信するアンテナ３１と、送信するデータに基づき所定の周波数の搬送波を変調して送信処理をする送信部３２と、受信した無線信号に変調されているデータを復調して取り出し受信処理を実行する受信部３３と、当該防犯受信器３０を統括的に制御する制御部３４と、防犯システム１を構成する全ての存在検知センサ１０ｎ、侵入検知センサ２０ｍの識別情報を記憶したデータ記憶部３５と、当該防犯受信器３０の各種機能を操作するための例えば、押下ボタン（釦）などである操作部３６と、表示部３７と、侵入検知センサ２０ｍから送信された侵入検知信号を受信したことに応じて鳴動し、周囲にいる人に対して、侵入者が検知されたことを報知する音声合成部３８、スピーカ３９とを備える。
【００２８】
このような構成の防犯受信器３０は、存在検知センサ１０ｎ、侵入検知センサ２０ｍに較べて大型な装置となっており、例えば、建物内の所定の場所に、表示部３７を視認し易く、操作部３６を操作し易い位置に固定的に設置されることになる。したがって、電源は、電源供給部４０、プラグ４１を介して供給される固定電源を使用する。
【００２９】
表示部３７は、例えば、ＬＥＤ（Light Emitting Diode）といった発光素子や、発光ランプなどである。表示部３７は、存在検知センサ１０ｎ、侵入検知センサ２０ｍから送信された無線信号を受信した場合や、操作部３６が操作された場合に、制御部３４による点灯、消灯、点滅制御に応じて表示形態を変えることで、信号受信状況や、操作状況などをユーザに視覚的に提示する。例えば、存在検知センサ１０ｎから送信された存在検知信号、または侵入検知センサ２０ｍから送信された侵入検知信号を受信した場合には、存在検知センサ１０ｎ、侵入検知センサ２０ｍの設置により侵入者を検知することが可能となった検知エリアを特定する発光ランプが点滅し、侵入者の位置をユーザに通知する。
【００３０】
また、表示部３７は、制御部３４の制御に応じて、当該防犯受信器３０の現在の動作モード（非警戒モード、または警戒モードのいずれかのモード）であることを示す情報を表示する。当該防犯受信器３０の動作モードである非警戒モード、警戒モードについては後で詳細に説明をする。
【００３１】
表示部３７は、ユーザが一瞥して表示結果を視認することができればどのようなものであってもよく、例えば、赤色光、緑色光、青色光を発光することができるＬＥＤを用い、発光色の組み合わせを変えることで上述した消灯、点灯、点滅と同じように表示形態を変えることもできる。また、このようなＬＥＤばかりではなく、例えば、小型で薄型のＥＬ(Electric Luminescence)発光パネルなどであってもよい。また、表示部３７は、文字情報や画像情報を表示することができる液晶ディスプレイなどを用いることもできる。
【００３２】
データ記憶部３５は、防犯システム１を構成する存在検知センサ１０ｎ、侵入検知センサ２０ｍの全ての識別情報を、存在検知センサ１０ｎ、侵入検知センサ２０ｍを設置した検知エリアを特定することができる情報に対応付けて記憶している。検知エリアを特定することができる情報は、例えば、検知エリアと対応付けられた発光ランプである表示部３７を特定する情報であったり、液晶ディスプレイや発光パネルである表示部３７に表示させるシンボル情報などである。
【００３３】
これにより、存在検知センサ１０ｎから送信された存在検知信号、侵入検知センサ２０ｍから送信された侵入検知信号より取得される識別情報から、データ記憶部３５に対応付けられた情報を取得し、表示部３７を介してユーザに提示することで、人の存在が検知された検知エリア、侵入者が検知された検知エリアをそれぞれ特定することができる。
【００３４】
制御部３４は、存在検知センサ１０ｎから送信され、アンテナ３１を介して存在検知信号が受信されたことに応じて、受信部３３で復調された存在検知信号に添付されている識別情報と、データ記憶部３５に記憶されている存在検知センサ１０ｎを一意に特定する識別情報とを比較し、対応付けて記憶されている情報を読み出し、読み出した情報で特定される人の存在が検知された検知エリアを表示部３７を介してユーザに提示する。
【００３５】
また、制御部３４は、侵入検知センサ２０ｍから送信され、アンテナ３１を介して侵入検知信号が受信されたことに応じて、受信部３３で復調された侵入検知信号に添付されている識別情報と、データ記憶部３５に記憶されている侵入検知センサ２０ｍを一意に特定する識別情報とを比較し、対応付けて記憶されている情報を読み出すとともに、音声合成部３８、スピーカ３９を介して警報音を鳴動させる。そして、制御部３４は、読み出した情報で特定される侵入者が検知された検知エリアを表示部３７を介してユーザに提示する。
【００３６】
防犯受信器３０は、当該防犯システム１において管理管轄する領域内において、侵入検知センサ２０ｍによって検知可能な検知エリア毎に非警戒モード、警戒モードといった防犯受信器３０の動作モードを切り替えることができる。制御部３４は、以下に示すような条件に応じて当該防犯受信器３０の動作モードを切り替えるよう制御する。
【００３７】
当該防犯受信器３０には、通常時の動作モードであり存在検知センサ１０ｎから送信される存在検知信号の受信待機状態である非警戒モードと、緊急時の動作モードであり侵入検知センサ２０ｍから送信される侵入検知信号の受信待機状態である警戒モードという２つの動作モードがある。
【００３８】
制御部３４は、存在検知センサ１０ｎから送信される存在検知信号を受信したことに応じて動作モードを通常時の動作モードである非警戒モードから警戒モードへと切り替えるように制御する。
【００３９】
また、制御部３４は、動作モードを警戒モードへと切り替えたことに応じて、図示しないタイマによる計時を開始する。そして、制御部３４は、このタイマによって計時される所定時間の間に侵入検知センサ２０ｍから送信される侵入検知信号を受信した場合、所定の警報動作を実行するよう音声合成部３８、表示部３７などを制御するとともに、警報信号を生成して侵入検知センサ２０ｍに送信するよう送信部３２を制御する。
【００４０】
制御部３４は、所定の警報動作として、例えば、音声合成部３８、スピーカ３９を介して警報音（警報メッセージ）の発報をしたり、表示部３７を介して警報表示（例えば、赤色ランプ点灯）をさせたりする。
【００４１】
一方、制御部３４は、動作モードが非警戒モードである状態で、侵入検知センサ２０ｍから送信される侵入検知信号を受信した場合、図示しないタイマによる計時を開始する。そして、制御部３４は、このタイマによって計時される一定時間の間、警戒モードへと切り替えることを禁止する。つまり、制御部３４は、非警戒モード時において、侵入検知センサ２０ｍから送信される侵入検知信号を受信した場合、一定時間の間は、存在検知センサ１０ｎによって人の存在が検知されたことで送信される存在検知信号を受信しても、当該防犯受信器３０、侵入検知センサ２０ｍで実行される所定の警報動作を禁止するように制御する。
【００４２】
これは、存在検知センサ１０ｎによる反応がなく、防犯受信器３０の動作モードが非警戒モードの状態にあるとき、防犯システム１で管理管轄されている領域内に設置された侵入検知センサ２０ｍによる反応があった場合には、管理管轄領域内へと侵入者が侵入する侵入過程から想定して、管理管轄領域内に不正に侵入した侵入者を検知した可能性よりも、この領域内にあらかじめ存在している正当なユーザを誤って検知してしまった可能性の方が非常に高いことを考慮し、防犯システム１で管理管轄されている領域内で活動している正当なユーザを検知した場合には警報動作が実行されてしまうことを回避するための制御処理手法である。
【００４３】
これにより、防犯受信器３０の動作モードが非警戒モードの状態にあるとき、防犯システム１で管理管轄されている領域内で活動している正当なユーザが、例えば、庭などでガーデニングなどの作業をすることで、侵入検知センサ２０ｍが反応して侵入検知信号が送信されたとしても、この侵入検知信号を受信した防犯受信器３０の制御部３４は、一定時間の間、警戒モードへと切り替えることを禁止するため、存在検知センサ１０ｎで通行人などを検知するたびに警報動作を実行させてしまうといった誤報知を容易に回避することができる。
【００４４】
［防犯システム１の防犯受信器３０の処理動作］
続いて、図２に示すフローチャートを用いて、防犯システム１の防犯受信器３０の処理動作について説明をする。なお、初期状態において防犯受信器３０の動作モードは、通常時のモードである非警戒モードとなっているものとする。
【００４５】
まず、ステップＳ１において、防犯受信器３０は、動作モードが非警戒モードであるたため、存在検知センサ１０ｎから送信される存在検知信号を待機する受信待機状態となっている。防犯受信器３０の制御部３４は、存在検知センサ１０ｎから送信される存在検知信号を受信したかどうかを判断する。制御部３４は、存在検知信号を受信した場合、ステップＳ２へと処理を進める一方、存在検知信号を受信していない場合、存在検知信号を待機する受信待機状態を継続したままステップＳ１０へと処理を進める。
【００４６】
ステップＳ２において、制御部３４は、防犯受信器３０の動作モードを非警戒モードから警戒モードへと移行する。防犯受信器３０は、動作モードを非警戒モードから警戒モードへと移行したことで、緊急時の動作モードとなり侵入検知センサ２０ｍから送信される侵入検知信号の受信待機状態となる。
【００４７】
ステップＳ３において、制御部３４は、当該制御部３４に内蔵されている図示しないタイマをスタートさせて計時を開始する。
【００４８】
ステップＳ４において、制御部３４は、侵入検知センサ２０ｍから送信される侵入検知信号を受信したかどうかを判断する。制御部３４は、侵入検知信号を受信した場合、ステップＳ６へと処理を進める一方、侵入検知信号を受信していない場合、ステップＳ５へと処理を進める。
【００４９】
ステップＳ５において、制御部３４は、ステップＳ３で開始した図示しないタイマによる計時によって所定時間だけ経過したかどうかを判断する。制御部３４は、所定時間経過した場合には、ステップＳ９へと処理を進める一方、所定時間経過していない場合には、ステップＳ４へと処理を戻し、侵入検知信号の受信を待機する受信待機状態を継続する。
【００５０】
ステップＳ６において、制御部３４は、受信した侵入検知信号に添付されている識別情報を読み出し、読み出した識別情報を添付した警報信号を生成する。そして、制御部３４は、送信部３２を制御し、アンテナ３１を介して生成した警報信号を侵入検知センサ２０ｍに送信する。
【００５１】
ステップＳ７において、制御部３４は、表示部３７、音声合成部３８などを制御して、所定の警報動作を実行させる。制御部３４は、例えば、スピーカ３９を介して警報音を出力させるように音声合成部３８を制御する。
【００５２】
ステップＳ８において、制御部３４は、ユーザによって操作部３６が操作され、ステップＳ７で実行された所定の警報動作を停止させるよう指示されたかどうかを判断する。制御部３４は、例えば、操作部３６の図示しない停止釦が押下されたかどうかを判断する。制御部３４は、所定の警報動作を停止させるよう指示された場合、ステップＳ９へと処理を進める一方、所定の警報動作を停止させるよう指示されていない場合、ステップＳ６へと処理を戻す。
【００５３】
ステップＳ９において、制御部３４は、防犯受信器３０の動作モードを警戒モードから非警戒モードへと移行する。防犯受信器３０は、動作モードを警戒モードから非警戒モードへと移行したことで、通常時の動作モードとなり存在検知センサ１０ｎから送信される存在検知信号の受信待機状態となる。なお、後述するステップＳ１２から当該ステップＳ９へと進む場合には、あらかじめ非警戒モードであるため本ステップをスルーする。
【００５４】
ステップＳ１０において、制御部３４は、侵入検知センサ２０ｍから送信される侵入検知信号を受信したかどうかを判断する。制御部３４は、侵入検知信号を受信した場合、ステップＳ１１へと処理を進める一方、侵入検知信号を受信していない場合、ステップＳ１へと処理を戻す。
【００５５】
ステップＳ１１において、制御部３４は、当該制御部３４に内蔵されている図示しないタイマをスタートさせて計時を開始する。
【００５６】
ステップＳ１２において、制御部３４は、ステップＳ１１で開始した図示しないタイマによる計時によって一定時間だけ経過したかどうかを判断する。制御部３４は、一定時間経過した場合には、ステップＳ９へと処理を進める一方、一定時間経過していない場合には、一定時間経過するまで待機状態を継続する。
【００５７】
このように、本発明の実施の形態として示す防犯システム１の防犯受信器３０の制御部３４は、当該防犯システム１で管理管轄している領域外において人の存在を検知するように設置された存在検知センサ１０ｎによって人の存在が検知され、動作モードを非警戒モードから警戒モードへと切り替えた後の所定時間の間に、侵入検知センサ２０ｍによって侵入が検知された場合に、所定の警報動作を実行するように制御し、侵入検知センサ２０ｍによって威嚇が実行されるように制御している。
【００５８】
したがって、一つの検知センサのみの反応によって簡単に警報の鳴動がなされ警報動作が実行されてしまうことがないため、誤報知の発生を抑制することができ、防犯システム１で管理管轄されている領域内で発生した何らかの異常状態を確実に報知することができる。
【００５９】
また、防犯受信器３０の動作モードが非警戒モードの状態にあるとき、防犯システム１で管理管轄されている領域内で活動している正当なユーザを侵入検知センサ２０ｍで検知して侵入検知信号が送信されたとしても、この侵入検知信号を受信した防犯受信器３０の制御部３４は、ステップＳ１２で示したように、一定時間の間待機状態を継続することで、警戒モードへと切り替えることを禁止し、ひいては防犯受信器３０、侵入検知センサ２０ｍの警報動作を実行することを禁止するため、存在検知センサ１０ｎで単なる通行人を検知するたびに警報動作が実行されてしまうといった誤報知を容易に回避することができる。
【００６０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００６１】
【図１】本発明の実施の形態として示す防犯システムの構成について説明するための図である。
【図２】前記防犯システムの処理動作について説明するためのフローチャートである。
【符号の説明】
【００６２】
１  防犯システム
１０ｎ  存在検知センサ
１３  制御部
１５  センサ部
２０ｍ  侵入検知センサ
２４  制御部
２６  センサ部
２８  鳴動部
３０  防犯受信器
３４  制御部
３７  表示部
３８  音声合成部
３９  スピーカ
【図１】
2009080585.tif 000003
【図２】
2009080585.tif 000004